(57)【要約】【課題】基礎梁の立ち上がり部分がないベタ基礎でも、アンカーボルトや柱脚金物等を型枠には依存しないで精度良く据え付けることのできる基礎工法を提供する。【解決手段】ベタ基礎の外周部に堰板２１を立設し、堰板２１で包囲された区画内に発泡樹脂製ブロック２３を配置し、該ブロック２３の間に基礎梁の鉄筋２４を組み、ブロック２３の上方に土間スラブの鉄筋２５を組んだ後、該区画よりも外側の地盤上に堰板２１から離隔させて支保工４を設け、該支保工４を介して該区画の上方に、堰板２１には接しないようにして形鋼材からなる定規部材３を水平に架け渡し、該定規部材３の所定位置に予め形成した孔部３４又は切欠部３５を利用して定規部材３にアンカーボルト５や適宜の柱脚金物６等を吊持させて位置決めし、その状態で区画内にコンクリート７を打設した後、定規部材３及び支保工４を撤去する。【選択図】  図２
2011006849.tif 000002
【特許請求の範囲】
【請求項１】
基礎を構築する予定領域の外周部に堰板を立設し、前記堰板によって包囲された区画内に基礎の基礎梁や土間スラブ等を構成する鉄筋を組んだ後、前記区画内にコンクリートを打設して基礎を構築する基礎工法において、
コンクリートの打設に先立ち、前記堰板によって包囲された区画よりも外側の地盤上に堰板から離隔させて支保工を設け、前記支保工を介して前記区画の上方に、堰板には接しないようにして形鋼材からなる定規部材を水平に架け渡し、
前記定規部材の所定位置に予め形成した孔部又は切欠部を利用して、前記定規部材にアンカーボルト或いは適宜の柱脚金物等を吊持させて位置決めし、その状態で前記区画内にコンクリートを打設した後、前記定規部材及び支保工を撤去することを特徴とする基礎工法。
【請求項２】
ベタ基礎を構築する予定領域の外周部に堰板を立設し、前記堰板によって包囲された区画内に基礎梁の予定位置を挟むようにして発泡樹脂製ブロックを配置し、前記ブロックの間に基礎梁の鉄筋を組み、前記ブロックの上方に土間スラブの鉄筋を組んだ後、前記区画内にコンクリートを打設してベタ基礎を構築する基礎工法において、
コンクリートの打設に先立ち、前記堰板によって包囲された区画よりも外側の地盤上に堰板から離隔させて支保工を設け、前記支保工を介して前記区画の上方に、堰板には接しないようにして形鋼材からなる定規部材を水平に架け渡し、
前記定規部材の所定位置に予め形成した孔部又は切欠部を利用して、前記定規部材にアンカーボルト或いは適宜の柱脚金物等を吊持させて位置決めし、その状態で前記区画内にコンクリートを打設した後、前記定規部材及び支保工を撤去することを特徴とする基礎工法。
【請求項３】
請求項２に記載の基礎工法における定規部材の架け渡しに際して、
定規部材の中間部適所を、発泡樹脂製ブロックの上面に配置した高さ調節可能なサポート部材を介して支承することを特徴とする基礎工法。
【請求項４】
請求項１、２又は３に記載の基礎工法において、
定規部材には溝形鋼を使用し、前記溝形鋼の開口面を上向き又は下向きにして架け渡すことを特徴とする基礎工法。
【請求項５】
請求項１〜４のいずれか一項に記載の基礎工法における定規部材の架け渡しに際して、
複数本の定規部材を平面視直交二方向に交差させて架け渡すとともに、少なくともいずれか一方向の定規部材を柱又は壁の通り芯に合わせて配置することを特徴とする基礎工法。
【請求項６】
請求項１〜５のいずれか一項に記載の基礎工法におけるアンカーボルト又は柱脚金物等の位置決めに際して、
定規部材に適宜の治具を取り付け、前記治具を介して間接的にアンカーボルト又は柱脚金物等を定規部材に吊持させた状態で位置決めすることを特徴とする基礎工法。
【発明の詳細な説明】
【技術分野】
【０００１】
本発明は、基礎梁の立ち上がり部分が形成されないベタ基礎の施工や、布基礎の基礎梁と土間コンクリートを一体打ちするような基礎の施工において、アンカーボルトや柱脚金物等を、該基礎を形成するための型枠に依存しないで所定位置に据え付ける基礎工法に関する。
【背景技術】
【０００２】
木造や鉄骨造による小規模建築物においては、コンクリート基礎を構築する際、基礎の所定位置にアンカーボルトを埋設しておいて、そのアンカーボルトに上部構造体を連結するのが一般的である。かかる連結構造は、基礎に埋設したアンカーボルトに土台を連結して、その土台上に柱を立設する構造と、基礎に埋設したアンカーに直接、或いは適宜の金物等を介して、柱や耐力壁パネル等を直結する構造とに大別される。いずれの連結構造も、多数のアンカーボルトや金物等を、予め基礎内の所定位置に精度良く据え付けておく必要があるが、特に後者の直結構造では、アンカーボルトや柱脚金物の位置決めに、より高い精度が要求される。
【０００３】
コンクリート基礎が布基礎（連続フーチング基礎）の形態をなす場合は、基礎梁部分を形成するための型枠パネルを利用して、相対する型枠パネルの天端にアンカーボルト位置決め用治具（定規）を架け渡して固定し、その治具にアンカーボルトを吊持させてアンカーボルトを位置決めする工法がよく知られている。本出願人も、例えば、特許文献１、２等において、かかる工法に利用しうるアンカーボルト位置決め用治具を提案している。
【０００４】
しかし、コンクリート基礎がベタ基礎になる場合や、布基礎における基礎梁の天端と土間コンクリートとを一体打ちして同レベルに仕上げるような場合では、上述のようなアンカーボルト位置決め用治具を利用できないことがある。ベタ基礎の施工方法として、例えば特許文献３、４等に開示されているように、地盤を掘削して形成した凹所に捨てコンクリートを打設した後、その凹所の内側に、基礎梁の形成予定位置を挟むようにして複数個の発泡樹脂製ブロックを配置し、それらブロックの間及び上方に基礎梁及び土間スラブの鉄筋を組んだ後、凹所内全体にコンクリートを打設する、という工法が知られている。かかる基礎工法は、型枠パネルの代わりに発泡樹脂製ブロックを埋設増量材として利用することにより、型枠工事を大幅に省力化することができるという利点を有するため、特に建築面積の大きい低層建造物の基礎工法としてよく採用される。しかしながら、この基礎工法では、ベタ基礎を構築する予定領域内に、基礎梁の立ち上がり部分を形成するための型枠パネルが立設されないので、アンカーボルト位置決め用治具を架け渡すための拠り所が得られず、アンカーボルトの位置決め作業が困難になってしまう。
【先行技術文献】
【特許文献】
【０００５】
【特許文献１】特開平１１−６１６０号公報
【特許文献２】特開２０００−５４３９６号公報
【特許文献３】特開平３−２２８９２１号公報
【特許文献４】特開平４−３７１６１４号公報
【発明の概要】
【発明が解決しようとする課題】
【０００６】
本発明は、上述のような事情に鑑みてなされたもので、基礎梁の立ち上がり部分が形成されないベタ基礎や、或いは、布基礎における基礎梁の天端近傍のレベルに土間コンクリートを一体打ちするような基礎であっても、その施工に際し、アンカーボルトや柱脚金物等を型枠には依存しないで精度良く据え付けることのできる基礎工法を提供するものである。
【課題を解決するための手段】
【０００７】
上記した目的を達成するため、本発明の基礎工法は、基礎を構築する予定領域の外周部に堰板を立設し、前記堰板によって包囲された区画内に基礎梁や土間スラブ等を構成する鉄筋を組んだ後、前記区画内にコンクリートを打設して基礎を構築する基礎工法において、コンクリートの打設に先立ち、前記堰板によって包囲された区画よりも外側の地盤上に堰板から離隔させて支保工を設け、前記支保工を介して前記区画の上方に、堰板には接しないようにして形鋼材からなる定規部材を水平に架け渡し、前記定規部材の所定位置に予め形成した孔部又は切欠部を利用して、前記定規部材にアンカーボルト或いは適宜の柱脚金物等を吊持させて位置決めし、その状態で前記区画内にコンクリートを打設した後、前記定規部材及び支保工を撤去することを特徴とする。
【０００８】
このように、基礎を構築する区画の上方に、その区画全体を跨ぐようにして定規部材を架け渡し、この定規部材を基準にしてアンカーボルトや柱脚金物等を設置することにより、基礎型枠に依存せずとも、アンカーボルトや柱脚金物等を精度良く位置決めすることが可能になる。
【０００９】
かかる基礎工法は、ベタ基礎を構築する領域内に、埋設増量材としての発泡樹脂製ブロックを配置する基礎工法には特に好適である。この場合には、ベタ基礎の領域が広くても、発泡樹脂製ブロックの上面に高さ調節可能なサポート部材を配置し、そのサポート部材を介して定規部材の中間部適所を支承すれば、定規部材の水平度を容易に確保することができる。
【００１０】
本発明の基礎工法においては、定規部材として、例えばＨ形鋼やＩ形鋼、山形鋼、角形鋼管その他の形鋼材を利用することもできるが、特に、溝形鋼を採用し、その開口面を上向き又は下向きにして架け渡すのが好ましい。溝形鋼は撓み変形に対する強度に優れるとともに、アンカーボルトや柱脚金物等の取り付け易さにおいても使い勝手がよい。
【００１１】
さらに、本発明の基礎工法においては、定規部材の架け渡しに際して、複数本の定規部材を平面視直交二方向に交差させて架け渡すとともに、少なくともいずれか一方向の定規部材を柱又は壁の通り芯に合わせて配置するのが好ましい。これにより、建築物の上部構造体を支持するのに必要なアンカーボルトや柱脚金物等の配置を最適化することができるとともに、それらの取り付けに必要な孔部や切欠部の加工作業も合理化し易くなる。
【００１２】
さらに、本発明においては、アンカーボルト又は柱脚金物等の位置決めに際して、定規部材に適宜の治具を取り付け、前記治具を介して間接的にアンカーボルト又は柱脚金物等を定規部材に吊持させた状態で位置決めすることもできる。
【発明の効果】
【００１３】
上述のように構成される本発明の基礎工法では、定規部材が、基礎の外周を包囲する堰板には接しないようにして、基礎の区画全体を跨ぐように架け渡され、堰板の外側に離隔させた支保工によって支承される。つまり、この定規部材は、基礎を構築するための堰板や鉄筋その他の型枠要素からは独立した仮設物となる。そして、この定規部材を基準にすることにより、アンカーボルトや柱脚金物、或いはそれらに準じた基礎埋設物を、基礎の広さや、基礎の平面及び断面の形状、基礎梁の有無等に関わらず、任意の位置に精度よく位置決めして据え付けることができる。定規部材に形鋼材を利用して、たわみ変形に対する強度を確保することにより、定規部材を数ｍ以上のスパンにわたって架け渡すことも可能になる。
【００１４】
この基礎工法は、ベタ基礎を構築する領域内に埋設増量材としての発泡樹脂製ブロックを配置する基礎工法には特に好適であって、基礎型枠施工を省力化するのに大いに寄与する。発泡樹脂製ブロックを利用する基礎工法では、コンクリートを打設する際に、軽量の発泡樹脂製ブロックがコンクリートの流動圧を受けて位置ずれを生じることもありえるが、基礎から独立した頑丈な定規部材に支持されるアンカーボルト等は、その影響を受けにくいので、アンカーボルト等の位置精度が向上する。
【００１５】
このように、本発明の基礎工法では、基礎を形成する区画を跨ぐようにして該区画の上方に架け渡した定規部材の設置精度と、定規部材に取り付けるアンカーボルトや柱脚金物等の取付精度とによって、上部構造体を連結する部位の施工精度を確保しているので、その分、基礎自体の型枠工事を省力化或いは簡略化し、コストを削減するのが容易になる。
【図面の簡単な説明】
【００１６】
【図１】本発明の実施形態に係る基礎工法を説明する断面斜視図であって、ベタ基礎の外周部を堰板で囲み、その区画内に発泡樹脂製ブロックを配置して、基礎梁や土間スラブの鉄筋を組んだ段階を示す図である。
【図２】同じく、本発明の実施形態に係る基礎工法を説明する断面斜視図であって、図１の段階に続き、ベタ基礎の区画の上方に定規部材を架け渡してアンカーボルト等を位置決めした段階を示す図である。
【図３】図２の段階において、アンカーボルト等を定規部材に取り付ける形態の例を示す部分拡大斜視図である。
【図４】ベタ基礎の型枠と定規部材、柱脚金物等の、高さ方向における配置関係を示す部分断面図である。
【図５】本発明の実施形態に係る基礎工法を説明する断面斜視図であって、図２の段階に続き、ベタ基礎の区画内にコンクリートを打設した後、定規部材を撤去した段階を示す図である。
【発明を実施するための形態】
【００１７】
以下、本発明の実施の形態について図を参照して説明する。
【００１８】
図１、図２、及び図５は、本発明の実施形態に係る基礎工法を工程順に説明する断面斜視図である。例示形態は、比較的良好な地盤上に低層の木造住宅を建築するケースでの基礎工法を想定している。
【００１９】
まず、図１に示すように、ベタ基礎を構築する予定領域の地盤を掘削して凹所１を形成し、その凹所１に適宜の地業を施す。地業とは、地盤面に砂利や割栗石１１を敷設して突き固め、捨てコンクリート１２を打設するなどの作業であるが、本発明において、特にその詳細は限定しない。また、例示形態では凹所１の底面を平坦に均しているが、凹所１の底面には、構築しようとするベタ基礎の断面形状に合わせて、部分的な掘り込みや盛り土等による起伏を形成してもよい。
【００２０】
捨てコンクリート１２が硬化したら、その底面に墨出しを施し、ベタ基礎の外周部に沿って堰板２１を立設する。この堰板２１にも、特殊な構造や厳密な寸法精度が要求されるわけではないから、適宜、公知の型枠材料を利用することができる。堰板２１の外側には、例えば、斜めサポート２２等からなる適宜の支保工を配し、これによって堰板２１を外側から支持する。この支保工についても、特にその詳細は限定しない。
【００２１】
例示形態では、堰板２１によって包囲した区画内に、埋設増量材としての発泡樹脂製ブロック２３を配置する。発泡樹脂製ブロック２３は、例えば発泡ポリスチレン、発泡ポリエチレン、発泡ポリプロピレン、或いはそれらの複合材料等からなる成形体であって、一人乃至二人の作業者が容易に持ち運べる程度の大きさや形状、具体的には各辺が数十ｃｍ程度の直方体形状、或いは長辺が数ｍ程度までの角棒体形状等に成形されている。このブロック２３を、基礎梁の予定位置を挟むようにして凹所１内に配置する。このとき、必要に応じて複数個のブロック２３を上下方向に積層したり、横方向に並べて連結したりしてもよい。
【００２２】
堰板２１の内側面に沿うスペースや、隣接するブロック２３間のスペースには、基礎梁を構成する鉄筋２４を配設する。基礎梁用の鉄筋２４は、現場で組み上げてもよいし、予め籠状に組んだ鉄筋ユニットを現場に据え付けるようにしてもよい。基礎梁用の鉄筋２４の下部は、凹所１の底面に載置した適宜のスペーサ等（図示せず）を介して所定の高さに保持する。また、ブロック２３の上方には、土間スラブ用の鉄筋２５を平面視格子状に組み、これを基礎梁の鉄筋２４と結束する。土間スラブ用の鉄筋２５も、ブロック２３の上面に載置した適宜のスペーサ等（図示せず）を介して所定の高さに保持する。これらの配筋作業と併せ、コンクリート打設時に発泡樹脂製ブロック２３が浮き上がるのを抑える手段も適宜、講じる。
【００２３】
次いで、図２に示すように、堰板２１によって包囲した区画の上方に、該区画全体を跨ぐようにして定規部材３を架け渡す。定規部材３には溝形鋼を利用し、その開口面を上向き又は下向きにして配置する。例示形態では、複数本ずつの定規部材３を平面視直交二方向に交差させ、それらのうちの一部を柱又は壁の通り芯に合致させて配置している。
【００２４】
各定規部材３は、その端部近傍を、堰板２１の外側に設ける支保工４によって支持する。支保工４には、例えばジャッキベースのように高さ調節可能なものを利用し、該支保工４を堰板２１から離隔させて、堰板２１よりも外側の地盤上に設置する。ジャッキベースを利用する場合は、図３に示すように、その軸筒部４１を定規部材３に形成した孔部３１に下方から挿入し、軸筒部４１に螺装したジャッキハンドル４２によって定規部材３の底面を支承する。そして、定規部材３の高さや傾きを調節しながら、定規部材３を水平に支持する。本発明にあっては、定規部材３を堰板２１から離して、堰板２１よりも高い位置に保持する点を要部としている。ベタ基礎を形成する区画が広大で、通常の長さの定規部材３では区画全体を跨ぐことができない場合は、適宜の継手手段を用いて定規部材３を延伸する。また、定規部材３を架け渡すスパンが大きくて、その中間部における撓みが大きくなる場合は、定規部材３の中間部適所を、例えば発泡樹脂製ブロック２３の上面に配置した適宜のサポート部材（図示せず）を介して支承する。該サポート部材は、高さ調節可能なものが便利であるが、最終的にはコンクリート内に埋め殺しになるので、できるだけ安価なものが好ましい。
【００２５】
こうして、定規部材３がベタ基礎の区画上に架け渡されたならば、それらの定規部材３に、アンカーボルト５や柱脚金物６等を取り付ける。その取付形態を図３に示し、該取付形態を構成する部材同士の高さ方向における配置関係を図４にす。
【００２６】
例示形態では、直交二方向に交差する定規部材３を、下側の定規部材３は溝形鋼の開口面を下向きにし、上側の定規部材３は溝形鋼の開口面を上向きにして重ねている。ただし、構築しようとするベタ基礎の構造や基礎内に埋設する部材等によっては、全ての定規部材３を、溝形鋼の開口面を上向き、或いは下向きにして配設しても差し支えない。
【００２７】
各溝形鋼のウェブに当たる中央の水平面部３２、及びフランジに当たる両縁の直立片部３３には、円形の孔部３４や、スリット状或いは十字状の切欠部３５が、予め所定位置に形成されている。これらの孔部３４や切欠部３５を利用して、アンカーボルト５や柱脚金物６、或いはそれらに準じた適宜の基礎埋設物を定規部材３に取り付ける。下側の定規部材３と上側の定規部材３との重合箇所についても、必要に応じて、それぞれの水平面部３２に形成された孔部３４又は切欠部３５を、ボルト・ナット或いは適宜の金具類で綴ることにより連結することができる。
【００２８】
アンカーボルト５は、溝形鋼の水平面部３２に形成した孔部３４に下方から挿入して、上方からナット締結する。ナットの締結位置を調節することにより、アンカーボルト５を吊持する高さを変化させることができる。
【００２９】
例示した柱脚金物６は、台座部６１の上面中央に一枚の柱脚連結プレート６２を立ち上げたもので、木製柱（図示せず）の下端に形成したスリットに柱脚連結プレート６２を挿入し、側方からドリフトピン等を打ち込んで木製柱と連結するように構成されている。この柱脚金物６の台座部６１に予めアンカーボルト５を取り付けておき、柱脚連結プレート６２を溝形鋼の水平面部３２に形成した十字状の切欠部３５に下方から挿入して、水平面部３２の上に突き出す部分に側方からボルト６３又はピンを挿入すれば、柱脚金物６が定規部材３に吊持される。
【００３０】
開口面を上向きにして配置される溝形鋼にあっては、その直立片部３３に前記ボルト６３又はピンを挿通させうる孔部３６が形成されており、この孔部３６の位置が柱脚金物６の据え付け高さを規定することとなる。また、開口面を上向きにして配置される溝形鋼にあっては、下向きの直立片部３３に添設した補助プレート３７を上方に延ばし、その延設部分にボルト６３又はピンを挿通させうる孔部３８を形成することにより、前記と同様にして吊持することができる。この形態にあっては、補助プレート３７に形成した孔部３８による据え付け高さが、開口面を上向きにした溝形鋼の直立片部３３に形成した孔部３６による据え付け高さと、実質的に同じになるように、それぞれの孔部３６、３８が予め形成されているのが好ましい。
【００３１】
なお、図３には示していないが、アンカーボルト５や例示の柱脚金物６以外にも、それらに準じた適宜の基礎埋設物を、同様にして定規部材３に取り付けることができる。また、例えば、適当な間隔を隔てて並列配置した定規部材３の間に、従来公知のアンカーボルト位置決め用治具（定規）を架け渡すように取り付け、該治具を介して間接的にアンカーボルト５や柱脚金物６等を据え付けることも可能である。
【００３２】
こうして、所定の高さに架け渡された定規部材３を利用し、該定規部材３の所定位置にアンカーボルト５や柱脚金物６その他の基礎埋設物が精度良く位置決めされたならば、堰板２１によって包囲した区画内にコンクリート７を打設する。例示形態では、図４に示すように、コンクリート７の天端が堰板２１の上端よりも数ｃｍ程度低くなり、そして、ちょうど柱脚金物６の台座部６１がコンクリート７の天端に座るか、多少、コンクリート７内に埋まるような高さまでコンクリート７を打設する。こうすれば、コンクリート７の硬化後に柱脚周りの不陸を整正したり、コンクリート７天端のレベルを補正したりする作業が不要になり、基礎工事の施工性が向上する。また、柱脚金物６自体が定規部材３によって精度良く位置決めされるから、これに取り付けるアンカーボルト５には厳しい位置決め精度が要求されなくなり、その据え付け作業も簡略化することができる。
【００３３】
コンクリート７の硬化後、図５に示すように、定規部材３と、それを支持する支保工４とを撤去すれば、コンクリート７の天端にアンカーボルト５や柱脚金物６が据え付けられたベタ基礎が得られる。堰板２１を撤去し、ベタ基礎の周囲を埋め戻せば完成であり、発泡樹脂性ブロック２３は埋め殺しとなる。
【００３４】
このように、本発明の基礎工法では、定規部材３の設置精度（位置や傾き）及び、定規部材３に予め形成する孔部３４や切欠部３５の加工精度によって、アンカーボルト５や柱脚金物６等の据え付け精度が規定されることから、ベタ基礎自体の型枠品質は多少、低下させても実用上、差し支えないことになる。したがって、例えば堰板２１を構成する型枠パネルについても、高価なメタルフォームではなく安価な木製パネルを採用したり、基礎天端の不陸整正やレベル補正作業を省略したりするなどして、様々な面から基礎型枠工事の省力化や簡略化を図り、それによって施工コストを削減するのが容易になる。
【００３５】
定規部材３はベタ基礎の施工完成後に撤去されるが、この定規部材３はコンクリート７の打設で汚損されることもない。したがって、例えば柱割りや間取りが標準化されたような建築物を複数棟、設置する場合などにあっては、定規部材３を何度も再利用することができ、これによっても大幅な省力化や基礎工事のコスト削減が可能になる。
【００３６】
なお、上述の説明ではベタ基礎を例示したが、例えば布基礎の施工において、基礎梁の天端近傍のレベルに土間コンクリートを基礎梁と一体に打設するような場合も、その基礎の外周部を囲む堰板よりも外側に支保工を設けて、前記と同様に基礎の上方に定規部材を架け渡すことにより、該定規部材を基準にして、アンカーボルトや柱脚金物等を任意の位置に精度良く据え付けることができる。
【符号の説明】
【００３７】
１  凹所
２１  堰板
２３  発泡樹脂製ブロック
２４  基礎梁用の鉄筋
２５  土間スラブ用の鉄筋
３  定規部材
３４  孔部
３５  切欠部
３７  補助プレート
４  支保工
５  アンカーボルト
６  柱脚金物
６１  台座部
６２  柱脚連結プレート
７  コンクリート
【図１】
2011006849.tif 000003
【図２】
2011006849.tif 000004
【図３】
2011006849.tif 000005
【図４】
2011006849.tif 000006
【図５】
2011006849.tif 000007